(57)【要約】【課題】アンテナ実装スペースを低減するとともに、アンテナケーブルの配線を簡素化できる情報処理装置を提供する。【解決手段】無線モジュール１４からアンテナ１０にかけての信号ラインをＬＣＤケーブル１２を用いて構成したため、無線モジュール１４とアンテナ１０を接続するアンテナケーブルがヒンジ４および上部筐体２内において物理的に干渉するという問題を回避できるとともに、アンテナケーブルの接続工程を省略することができる。また、ＬＣＤ駆動回路１１０Ａやバックライト駆動回路１１０Ｂを実装するフレキシブル基板１１Ｃ上にアンテナ１０をプリントして設けたため、上部筐体にアンテナ配置用のスペースを必要とせず、省スペース化することができる。また、フレキシブル基板１１Ｃとアンテナ１０を一体としたため、ＰＣ組み立て工程を減少できる。【選択図】図２
2009110411.tif 000002
【特許請求の範囲】
【請求項１】
表示部を有する第１の筐体と、
前記表示部の一部に形成されるアンテナと、
画像処理部と、無線モジュールとを有し、前記第１の筐体とヒンジによって回動可能に接続される第２の筐体と、
前記表示部と前記画像処理部、および前記アンテナと前記無線モジュールとを電気的に接続し、前記ヒンジ内を通して配される結束された複数の配線とを有することを特徴とする情報処理装置。
【請求項２】
前記アンテナは、前記表示部に含まれる基板上に形成されることを特徴とする請求項１に記載の情報処理装置。
【請求項３】
前記アンテナは、前記基板上に金属パターンを印刷することにより形成されることを特徴とする請求項２に記載の情報処理装置。
【請求項４】
表示部を有する第１の筐体と、
前記表示部の一部に取り付けられたアンテナと、
画像処理部と、無線モジュールとを有し、前記第１の筐体とヒンジによって回動可能に接続される第２の筐体と、
前記表示部と前記画像処理部、および前記アンテナと前記無線モジュールとを電気的に接続し、前記ヒンジ内を通して配される結束された複数の配線とを有することを特徴とする情報処理装置。
【請求項５】
前記複数の配線は、ハーネス化されて結束されていることを特徴とする請求項１または４に記載の情報処理装置。
【発明の詳細な説明】
【技術分野】
【０００１】
本発明は、無線通信手段を有する情報処理装置に関する。
【背景技術】
【０００２】
従来の技術として、ＬＣＤ用のバックライト駆動回路の基板上にアンテナを設けて、アンテナ実装スペースを低減する情報処理装置がある（例えば、特許文献１参照）。
【０００３】
この情報処理装置は、ＬＣＤおよびバックライトからなる表示部と、ＬＣＤ駆動回路と、バックライト駆動回路と、バックライト駆動回路の基板上に設けられたアンテナとを上部筐体内に有する。上部筐体の薄型化および小型化のため、ＬＣＤ駆動回路、バックライト駆動回路およびアンテナは通常、表示部の額縁部分に配置されるが、特許文献１の情報処理装置は、アンテナをバックライト駆動回路の基板上に設けたことで、アンテナ専用のスペースを設ける必要がなく、額縁部分を狭小化することができる。
【特許文献１】特開２００５−２５３７０号公報
【発明の開示】
【発明が解決しようとする課題】
【０００４】
しかし、従来の情報処理装置によると、下部筐体に設けられた無線モジュールと上部筐体に設けられたアンテナとの接続にはアンテナケーブルが用いられ、アンテナケーブルがＬＣＤに物理的に干渉するのを防ぐために、アンテナケーブルの配線が複雑になるという問題がある。また、アンテナケーブル配線のために情報処理装置の組み立て工程が増加するという問題がある。
【０００５】
従って、本発明の目的は、アンテナ実装スペースを低減するとともに、アンテナケーブルの配線を簡素化できる情報処理装置を提供することにある。
【課題を解決するための手段】
【０００６】
（１）本発明は上記目的を達成するため、表示部を有する第１の筐体と、前記表示部の一部に形成されるアンテナと、画像処理部と、無線モジュールとを有し、前記第１の筐体とヒンジによって回動可能に接続される第２の筐体と、前記表示部と前記画像処理部、および前記アンテナと前記無線モジュールとを電気的に接続し、前記ヒンジ内を通して配される結束された複数の配線とを有することを特徴とする情報処理装置を提供する。
【０００７】
上記した構成によれば、無線モジュールからアンテナにかけての配線を表示部と表示部駆動回路の配線とまとめて構成したため、無線モジュールとアンテナを接続する配線がヒンジおよび上部筐体内において物理的に干渉するという問題を回避できるとともに、アンテナ用の配線の接続工程を省略することができる。
【０００８】
（２）また、本発明は上記目的を達成するため、表示部を有する第１の筐体と、前記表示部の一部に取り付けられたアンテナと、画像処理部と、無線モジュールとを有し、前記第１の筐体とヒンジによって回動可能に接続される第２の筐体と、前記表示部と前記画像処理部、および前記アンテナと前記無線モジュールとを電気的に接続し、前記ヒンジ内を通して配される結束された複数の配線とを有することを特徴とする情報処理装置を提供する。
【０００９】
上記した構成によれば、（１）の効果に加え、アンテナを用途によって換装できるため、様々な用途に対応できる。
【発明の効果】
【００１０】
本発明によれば、アンテナ実装スペースを低減するとともに、アンテナケーブルの配線を簡素化することができる。
【発明を実施するための最良の形態】
【００１１】
以下に、本発明の情報処理装置としてのパーソナルコンピュータ（ＰＣ）の実施の形態を、図面を参照して詳細に説明する。
【００１２】
〔第１の実施の形態〕
（情報処理装置の構成）
図１（ａ）および（ｂ）は、本発明の第１の実施の形態に関するＰＣを示す斜視図である。図１（ａ）は、斜視図、図１（ｂ）は、背面からの斜視図である。
【００１３】
ＰＣ１は、上部筐体２と下部筐体３から構成され、ヒンジ４により開閉自在に接続されている。上部筐体２は、文字や画像等を表示する表示部１１を有し、上部筐体２内の表示部１１の背面にアンテナ１０を有する。下部筐体３は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するためのキーボード１９ａと、ポインティングデバイスとしてのスイッチ１９ｂ、１９ｃ、およびタッチパッド１９ｄとを有する。
【００１４】
図２は、本発明の第１の実施の形態に関するＰＣの内部を示す概略図である。
【００１５】
ＰＣ１は、上部筐体２の内部に表示部１１を構成するＬＣＤ（Ｌｉｑｕｉｄ  Ｃｒｙｓｔａｌ  Ｄｉｓｐｌａｙ）１１Ａ、バックライト１１Ｂおよび複数の回路を実装するフレキシブル基板１１Ｃを有し、下部筐体３の内部に複数の回路を実装するメイン基板１３を有する。フレキシブル基板１１Ｃとメイン基板１３は、ＬＣＤケーブル１２によって接続される。ＬＣＤケーブル１２は、ヒンジ４中を通して配線される。
【００１６】
フレキシブル基板１１Ｃは、表示部１１を駆動する表示部駆動回路として、ＬＣＤ１１Ａを駆動するＬＣＤ駆動回路１１０Ａと、バックライト１１Ｂを駆動するバックライト駆動回路１１０Ｂとを実装し、アンテナ１０を印刷によるパターン形成により設ける。また、各部はプリント配線によりＬＣＤコネクタ１２Ａと電気的に接続されている。
【００１７】
アンテナ１０は、例えば、ＣＤＭＡ規格やＢｌｕｅｔｏｏｔｈ（商標登録）等の電波を送受信できるように受信周波数帯に合わせて良好な感度が得られるよう、形状の異なるアンテナをそれぞれ形成する。アンテナ１０は、ステンレス等の金属をフレキシブル基板１１Ｃ上に印刷して形成することで設けられる。サイズは、ＣＤＭＡ規格用に１３０×１０ｍｍ、Ｂｌｕｅｔｏｏｔｈ用に３０×３０ｍｍである。
【００１８】
メイン基板１３は、アンテナ１０を介して外部と信号を送受信する無線モジュール１４と、ＬＣＤ駆動回路１１０Ａおよびバックライト駆動回路１１０Ｂを制御する画像処理部１５とを有する。無線モジュール１４は、メイン基板１３に設けられたランド１４０にアンテナケーブル１４Ａを介してはんだ付けすることで、メイン基板１３のプリント配線と電気的に接続され、コネクタ１４Ｂでバス２０を介して後述する各部へ接続される。画像処理部１５は、メイン基板１３のプリント配線と接続されるとともに、バス２０を介して後述する各部へ接続される。
【００１９】
ＬＣＤケーブル１２は、その両端をＬＣＤコネクタ１２ＡとＬＣＤコネクタ１２Ｂによりハーネス状にまとめられており、無線モジュール１４がアンテナ１０を介して送受信する信号を伝達する信号ラインとして、例えば２本のケーブルと、画像処理部１５がＬＣＤ駆動回路１１０Ａとバックライト駆動回路１１０Ｂに対して送信する制御信号を伝達するための信号ラインとして、信号規格に応じた複数本のケーブルとを有する。
【００２０】
なお、ＬＣＤケーブル１２は、コネクタを有さずにフレキシブル基板上に複数の配線を形成して、その両端に端子を設けたものとしてもよく、フレキシブル基板１１Ｃとメイン基板１３上にカードエッジコネクタとしてそれぞれＬＣＤコネクタ１２ＡとＬＣＤコネクタ１２Ｂを設け、ＬＣＤケーブル１２の両端に設けられた端子をカードエッジコネクタに固定することにより電気的に接続されるように構成してもよい。
【００２１】
図３は、本発明の第１の実施の形態に関するＰＣの構成を示すブロック図である。
【００２２】
ＰＣ１は、電波を送受信するアンテナ１０と、アンテナ１０が送受信する信号を処理する無線モジュール１４と、文字や画像を表示するＬＣＤ１１Ａと、ＬＣＤ１１Ａの表示に関する制御を行うＬＣＤ駆動回路１１０Ａと、ＬＣＤ１１Ａに透過光を照射するバックライト１１Ｂと、バックライト１１Ｂの制御を行うバックライト駆動回路１１０Ｂと、ＬＣＤ駆動回路１１０Ａおよびバックライト駆動回路１１０Ｂの制御を行う画像処理部１５と、情報を磁気情報として記憶する記憶部１６と、情報処理の際に一時的に情報を記憶するメモリ１７と、ＰＣ１の各部を統括して動作させる制御部１８と、ＰＣ１を操作可能で図１に示すキーボード１９ａ、スイッチ１９ｂ、１９ｃおよびタッチパッド１９ｄを含む操作部１９と、各部を相互に接続するバス２０とを有する。
【００２３】
また、アンテナ１０、ＬＣＤ駆動回路１１０Ａおよびバックライト駆動回路１１０Ｂは、フレキシブル基板１１Ｃ上に設置される。また、アンテナ１０と無線モジュール１４間、ＬＣＤ駆動回路１１０Ａと画像処理部１５間、およびバックライト駆動回路１１０Ｂと画像処理部１５間のそれぞれの信号線は、ＬＣＤケーブル１２として結束されている。
【００２４】
（動  作）
以下に、本発明の第１の実施の形態におけるＰＣの動作を各図を参照しつつ説明する。
【００２５】
ＰＣ１の各操作は、操作部１９において行われ、各処理は制御部１８において実行される。制御部１８において処理が実行される際、メモリ１７は一時的にデータを記録することで処理を補助する。画像信号は、画像処理部１５に入力されて処理され、処理信号はＬＣＤ駆動回路１１０Ａおよびバックライト駆動回路１１０Ｂに入力される。ＬＣＤ１１Ａおよびバックライト１１Ｂは、それぞれＬＣＤ駆動回路１１０Ａの出力信号およびバックライト駆動回路１１０Ｂの制御信号と駆動電力を受信し、映像を表示する。保存が必要な情報は記憶部１６へ送信され、記憶部１６はそれらの情報を磁気情報として保存する。
【００２６】
アンテナ１０は、外部から通信電波を受信し、受信した電波はＬＣＤケーブル１２およびアンテナケーブル１４Ａを介して信号として伝送され、信号は無線モジュール１４によって処理される。無線モジュール１４の出力は、バス２０を介して制御部１８に入力されて所定の処理が実行される。また、信号を外部に送信する際は、無線モジュール１４が変調した信号がアンテナケーブル１４ＡおよびＬＣＤケーブル１２を伝送してアンテナ１０から送信される。
【００２７】
（第１の実施の形態の効果）
上記した第１の実施の形態によると、無線モジュール１４からアンテナ１０にかけての信号ラインをＬＣＤケーブル１２に含めるように構成したため、無線モジュール１４とアンテナ１０を接続するアンテナケーブルがヒンジ４および上部筐体２内において物理的に干渉するという問題を回避できるとともに、アンテナケーブルの接続工程を省略することができる。
【００２８】
また、ＬＣＤ駆動回路１１０Ａやバックライト駆動回路１１０Ｂを実装するフレキシブル基板１１Ｃ上にアンテナ１０を実装したため、上部筐体にアンテナ配置用のスペースを必要とせず、省スペース化することができる。また、フレキシブル基板１１Ｃとアンテナ１０とが一体化されているので、ＰＣ組み立て工程を減少できる。
【００２９】
なお、アンテナ１０が受信する電波は限定しない。また、アンテナ１０はＰＣ１に設置可能なものであればその形状を問わない。
【００３０】
〔第２の実施の形態〕
（構  成）
図４は、本発明の第２の実施の形態に関するＰＣの内部を示す概略図である。なお、以下の説明において、第１の実施の形態と同一の構成および機能を有する部分については共通の符号を付している。
【００３１】
アンテナ１０は、フレキシブル基板１１Ｃと別体のアンテナモジュールであり、フレキシブル基板１１Ｃ上に、例えば接着して配置される。アンテナ１０は、ランド１２０とアンテナケーブル１０Ａで接続されることで、フレキシブル基板１１Ｃのプリント配線と接続される。
【００３２】
（第２の実施の形態の効果）
第２の実施の形態によると、第１の実施の形態の効果に加え、アンテナ１０を用途によって換装できるため、様々な用途に対応できる。
【００３３】
なお、アンテナ１０は、アンテナケーブル１０Ａを用いずに直接ランド１２０上に実装する構造でもよい。
【図面の簡単な説明】
【００３４】
【図１】（ａ）および（ｂ）は、本発明の第１の実施の形態に関するＰＣを示す斜視図である。図１（ａ）は、斜視図、図１（ｂ）は、背面からの斜視図である。
【図２】本発明の第１の実施の形態に関するＰＣの内部を示す概略図である。
【図３】本発明の第１の実施の形態に関するＰＣの構成を示すブロック図である。
【図４】本発明の第２の実施の形態に関するＰＣの内部を示す概略図である。
【符号の説明】
【００３５】
１…ＰＣ、２…上部筐体、３…下部筐体、４…ヒンジ、１０…アンテナ、１０Ａ…アンテナケーブル、１１…表示部、１１Ａ…ＬＣＤ、１１Ｂ…バックライト、１１Ｃ…フレキシブル基板、１２…ＬＣＤケーブル、１２Ａ…ＬＣＤコネクタ、１２Ｂ…ＬＣＤコネクタ、１３…メイン基板、１４…無線モジュール、１４Ａ…アンテナケーブル、１４Ｂ…コネクタ、１５…画像処理部、１６…記憶部、１７…メモリ、１８…制御部、１９…操作部、１９ａ…キーボード、１９ｂ…スイッチ、１９ｃ…スイッチ、１９ｄ…タッチパッド、２０…バス、１１０Ａ…ＬＣＤ駆動回路、１１０Ｂ…バックライト駆動回路、１２０…ランド、１４０…ランド
【図１】
2009110411.tif 000003
【図２】
2009110411.tif 000004
【図３】
2009110411.tif 000005
【図４】
2009110411.tif 000006